【手続補正書】
【提出日】平成24年6月14日(2012.6.14)
【手続補正１】
【補正対象書類名】明細書
【補正対象項目名】発明の名称
【補正方法】変更
【補正の内容】
【発明の名称】画像処理装置、画像処理方法、プログラム及び記憶媒体
【手続補正２】
【補正対象書類名】明細書
【補正対象項目名】００１１
【補正方法】変更
【補正の内容】
【００１１】
本発明は、原稿が１枚である場合でも、原稿が複数枚である場合でも、適切な原稿領域を得ることができる画像処理装置、画像処理方法、プログラム及び記憶媒体を提供することを目的とする。
【手続補正３】
【補正対象書類名】明細書
【補正対象項目名】００１２
【補正方法】変更
【補正の内容】
【００１２】
本発明の画像処理装置は、原稿台上の原稿を含む原稿台全面を読み取った原稿台画像から、原稿画像を得る画像処理装置において、上記原稿台画像に含まれる複数の画像領域を検出する検出手段と、上記検出手段が検出した上記複数の画像領域を包含する矩形領域を原稿画像として抽出する第１の抽出手段と、上記検出手段が検出した上記複数の画像領域のそれぞれを原稿画像として抽出する第２の抽出手段と、上記検出手段が検出した上記複数の画像領域の傾き角度を検出する角度検出手段とを有し、上記角度検出手段が検出した上記複数の画像領域のそれぞれの傾き角度の差を判定し、傾き角度に差が生じている場合には、第２の抽出手段が上記複数の画像領域のそれぞれを原稿画像として抽出することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
原稿台上の原稿を含む原稿台全面を読み取った原稿台画像から、原稿画像を得る画像処理装置において、
上記原稿台画像に含まれる複数の画像領域を検出する検出手段と；
上記検出手段が検出した上記複数の画像領域を包含する矩形領域を原稿画像として抽出する第１の抽出手段と；
上記検出手段が検出した上記複数の画像領域のそれぞれを原稿画像として抽出する第２の抽出手段と；
上記検出手段が検出した上記複数の画像領域の傾き角度を検出する角度検出手段と；
を有し、上記角度検出手段が検出した上記複数の画像領域のそれぞれの傾き角度の差を判定し、傾き角度に差が生じている場合には、第２の抽出手段が上記複数の画像領域のそれぞれを原稿画像として抽出することを特徴とする画像処理装置。
【請求項２】
請求項１であって、
上記検出手段で検出した上記複数の画像領域が、原稿台端に隣接しているかどうかを検知する隣接検知手段を有し、
上記隣接検知手段が原稿台端に隣接していることを検知した画像領域は、上記傾き角度の差を判定する対象から除外することを特徴とする画像処理装置。
【請求項３】
請求項１であって、
上記検出手段が検出した上記複数の画像領域のそれぞれのサイズが同等であるかどうかを判定する判定手段をさらに有し、
上記角度検出手段が検出した上記複数の画像領域のそれぞれの傾き角度の差を判定し、傾き角度に差が生じている場合であって、かつ、上記判定手段により画像領域のサイズが同等であると判定された場合に、上記第２の抽出手段が上記複数の画像領域のそれぞれを原稿画像として抽出することを特徴とする画像処理装置。
【請求項４】
請求項３であって、
上記判定手段は、上記検出手段が検出した上記複数の画像領域のそれぞれのサイズの最大である長辺、最小である長辺の比率と、上記検出手段が検出した上記複数の画像領域のそれぞれのサイズの最大である短辺、最小である短辺の比率とを比較し、比率が１に近ければ、同等のサイズであると判定することを特徴とする画像処理装置。
【請求項５】
原稿台上の原稿を含む原稿台全面を読み取った原稿台画像から、原稿画像を得る画像処理装置において、
上記原稿台画像に含まれる複数の画像領域を検出する検出手段と；
上記検出手段が検出した上記複数の画像領域を包含する矩形領域を原稿画像として抽出する第１の抽出手段と；
上記検出手段が検出した上記複数の画像領域の位置が揃っていることを判定する位置判定手段と；
上記位置判定手段が、上記各矩形領域の位置が揃っていないと判定した場合には、上記複数の画像領域のそれぞれを原稿画像として抽出する第２の抽出手段と；
を有することを特徴とする画像処理装置。
【請求項６】
請求項５であって、
上記検出手段が検知した原稿領域が原稿台端に隣接しているかどうかを検知する隣接検知手段と；
上記位置判定手段は、上記検出手段が検知した原稿領域が原稿台端に隣接していることを、上記隣接検知手段が検知すると、判定の対象から除外することを特徴とする画像処理装置。
【請求項７】
原稿台上の原稿を含む原稿台全面を読み取った原稿台画像から、原稿画像を得る画像処理方法において、
上記原稿台画像に含まれる複数の画像領域を検出する検出工程と；
上記検出工程で検出された上記複数の画像領域を包含する矩形領域を原稿画像として抽出する第１の抽出工程と；
上記検出工程で検出された上記複数の画像領域のそれぞれを原稿画像として抽出する第２の抽出工程と；
上記検出工程で検出された上記複数の画像領域の傾き角度を検出する角度検出工程と；
を有し、上記角度検出工程で検出された上記複数の画像領域のそれぞれの傾き角度の差を判定し、傾き角度に差が生じている場合には、第２の抽出工程で上記複数の画像領域のそれぞれを原稿画像として抽出することを特徴とする画像処理方法。
【請求項８】
請求項７であって、
上記検出工程で検出された上記複数の画像領域のそれぞれのサイズが同等であるかどうかを判定する判定工程をさらに有し、
上記角度検出工程で検出された上記複数の画像領域のそれぞれの傾き角度の差を判定し、傾き角度に差が生じている場合であって、かつ、上記判定工程により画像領域のサイズが同等であると判定された場合に、上記第２の抽出工程で、上記複数の画像領域のそれぞれを原稿画像として抽出することを特徴とする画像処理方法。
【請求項９】
原稿台上の原稿を含む原稿台全面を読み取った原稿台画像から、原稿画像を得る画像処理方法において、
上記原稿台画像に含まれる複数の画像領域を検出する検出工程と；
上記検出工程で検出された上記複数の画像領域を包含する矩形領域を原稿画像として抽出する第１の抽出工程と；
上記検出工程で検出された上記複数の画像領域の位置が揃っていることを判定する位置判定工程と；
上記位置判定工程で、上記各矩形領域の位置が揃っていないと判定された場合には、上記複数の画像領域のそれぞれを原稿画像として抽出する第２の抽出工程と；
を有することを特徴とする画像処理方法。
【請求項１０】
請求項１、５のいずれか１項記載の画像処理装置を構成する各手段としてコンピュータを機能させるプログラム。
【請求項１１】
請求項１、５のいずれか１項記載の画像処理装置を構成する各手段としてコンピュータを機能させるプログラムを記憶しているコンピュータ読取可能な記憶媒体。